(57)【要約】  カットの段階で毛量調整ができ、頭髪を傷めないヘアカット方法を提供する。  本発明に係るヘアカット方法は、頭髪を、前頭部を覆うバングセクションと、側頭部を覆うサイドセクションと、後頭部を覆うバックセクションとに分けるステップと、各セクションにおいて、頭の上側から下側にかけて頭髪を少なくとも２つのブロックに分けるステップと、各ブロックにおいて、一度にカット可能な量の毛束を取り出して頭髪をカットするステップとを含み、頭髪をカットするステップにおいて、各セクションの最上位のブロックを除き、各ブロックの頭髪から毛束を取り出し、毛束の上部の頭髪の長さが、毛束の下部の頭髪の長さよりも短くなるように傾斜を付け、かつ、毛束の上部の頭髪の長さが、直上のブロックの下部の頭髪の長さより短くなるように毛束をカットする。
2012108010.tif 000002
【特許請求の範囲】
【請求項１】
頭髪を、前頭部を覆うバングセクションと、側頭部を覆うサイドセクションと、後頭部を覆うバックセクションとに分けるステップと、
前記各セクションにおいて、頭の上側から下側にかけて頭髪を少なくとも２つのブロックに分けるステップと、
前記各ブロックにおいて、一度にカット可能な量の毛束を取り出して頭髪をカットするステップとを含み、
前記頭髪をカットするステップにおいて、前記各セクションの最上位のブロックを除き、前記各ブロックの頭髪から前記毛束を取り出し、前記毛束の上部の頭髪の長さが、前記毛束の下部の頭髪の長さよりも短くなるように傾斜を付け、かつ、前記毛束の上部の頭髪の長さが、直上のブロックの下部の頭髪の長さより短くなるように前記毛束をカットするヘアカット方法。
【請求項２】
前記ブロックに分けるステップにおいて、頭の一番出っ張っている部分であるハチの下の水平ラインと、後頭部の最もくぼんでいる部分である盆の窪の上の水平ラインとで、前記サイドセクション及びバックセクションの頭髪を少なくとも２つのブロックに分ける請求項１に記載のヘアカット方法。
【請求項３】
前記ブロックに分けるステップにおいて、前記バックセクションでは、前記ハチの下の水平ラインと、前記盆の窪の上の水平ラインとの間のブロックの頭髪を、さらに、左側ブロックと、中央ブロックと、右側ブロックとに分け、
前記頭髪をカットするステップにおいて、前記サイドセクションの前記ハチの下の水平ラインよりも下側のブロックと、前記左側ブロックと、前記右側ブロックと、前記バックセクションの前記盆の窪の上の水平ラインよりも下側のブロックとは、前記毛束の上部から中央の頭髪の長さが短くなり、かつ、下部の頭髪の長さが長くなるように下方にへこました弓形に前記毛束をカットする請求項２に記載のヘアカット方法。
【発明の詳細な説明】
【技術分野】
【０００１】
本発明は、ヘアカット方法に関するものである。
【背景技術】
【０００２】
図６は、従来のヘアカット方法である。基本的には、まず、頭髪を、前頭部を覆うバングセクション１０１と、側頭部を覆うサイドセクション１０２と、後頭部を覆うバックセクション１０３とに分け、それらのセクションでさらに、頭の上側から下側にかけて頭髪を複数のブロック１０１ａａ，１０１ａｂ，１０２ａａ，１０２ａｂ，１０２ｂ，１０３ａａ，１０３ａｂ，１０３ｂ，１０３ｃに分ける。その後、各ブロックにおいて、一度にカット可能な量に取り分けた毛束（パネル）３を取り出し、パネル３の先端部をハサミでカットする。このとき、図６に示すように、ハサミで頭髪をカットしたライン（カットライン）１０４が、隣り合うブロックとの間にわたってつながるように（図６中の対応する丸印同士の長さが略同じになるように）頭髪をカットする。その後、スキバサミを用いて毛先から所定の位置で毛先を削ぐ、又は、頭髪の流れに沿ってハサミを入れて毛先を削ぐ等により、毛量を調整する。これにより、図６に示す折れ線１０５のように、毛先において、頭髪の一部分が短く削がれ、毛量が減少する（非特許文献１、非特許文献２）。
【先行技術文献】
【非特許文献】
【０００３】
【非特許文献１】「ＴＯＭＯＴＯＭＯ（２００８年１月号）」、新美容出版株式会社出版、２００８年１月１日、Ｐ８３
【非特許文献２】「月間ＢＯＢ」、株式会社髪書房出版、２０１０年１０月１日、Ｐ６６
【発明の概要】
【発明が解決しようとする課題】
【０００４】
しかしながら、図６に示されるヘアカット方法では、毛量調整を行う際に、削ぎ落とされなかった頭髪にもハサミがあたり、頭髪を擦るため、頭髪を傷めるという問題があった。また、カットの度に頭髪を削ぐが、必ずしも同じ部分が削がれるわけではないので、毛先がカットされない頭髪もあり、そのような頭髪は毛先が傷みやすくなるという問題もあった。さらに、上記ヘアカット方法では、毛量調整が行われるのは通常毛先のみか、多めに頭髪を削ぐとしても中間から毛先にかけてとなり、頭髪の根本から中間にかけては、毛量が減少せず、頭髪が溜まりやすいという問題があった。【０００５】
本発明は、上記課題を解決するためになされたものであり、カットの段階で毛量調整ができ、頭髪を傷めないヘアカット方法を提供する。
【課題を解決するための手段】
【０００６】
本発明に係るヘアカット方法は、頭髪を、前頭部を覆うバングセクションと、側頭部を覆うサイドセクションと、後頭部を覆うバックセクションとに分けるステップと、前記各セクションにおいて、頭の上側から下側にかけて頭髪を少なくとも２つのブロックに分けるステップと、前記各ブロックにおいて、一度にカット可能な量の毛束を取り出して頭髪をカットするステップとを含み、前記頭髪をカットするステップにおいて、前記各セクションの最上位のブロックを除き、前記各ブロックの頭髪から前記毛束を取り出し、前記毛束の上部の頭髪の長さが、前記毛束の下部の頭髪の長さよりも短くなるように傾斜を付け、かつ、前記毛束の上部の頭髪の長さが、直上のブロックの下部の頭髪の長さより短くなるように前記毛束をカットする。【０００７】
ここで、「傾斜」とは、パネルを引き出したときに、頭髪に垂直なラインを底面とし、その底面からの傾きをいう。また、「最上位のブロック」とは、頭髪の表面を覆うブロックであり、ヘアスタイルを決める頭髪のアウトラインとなるブロックをいう。この点は、本明細書を通じて同様である。【０００８】
上記したヘアカット方法は、前記ブロックに分けるステップにおいて、頭の一番出っ張っている部分であるハチの下の水平ラインと、後頭部の最もくぼんでいる部分である盆の窪の上の水平ラインとで、前記サイドセクション及びバックセクションの頭髪を少なくとも２つのブロックに分けることができる。【０００９】
また、上記したヘアカット方法は、前記ブロックに分けるステップにおいて、前記バックセクションでは、前記ハチの下の水平ラインと、前記盆の窪の上の水平ラインとの間のブロックの頭髪を、さらに、左側ブロックと、中央ブロックと、右側ブロックとに分け、前記頭髪をカットするステップにおいて、前記サイドセクションの前記ハチの下の水平ラインよりも下側のブロックと、前記左側ブロックと、前記右側ブロックと、前記バックセクションの前記盆の窪の上の水平ラインよりも下側のブロックとは、前記毛束の上部から中央の頭髪の長さが短くなり、かつ、下部の頭髪の長さが長くなるように下方にへこました弓形に前記毛束をカットすることができる。
【発明の効果】
【００１０】
本発明に係るヘアカット方法によれば、カットの段階で毛量調整ができ、削ぐ必要が無いので、頭髪を傷めることを防止できる。
【図面の簡単な説明】
【００１１】
【図１】本発明のヘアカット方法の一実施形態を示す側面図である。
【図２】縦スライスでパネルを取り出した際の斜視図である。
【図３】本発明のヘアカット方法の他の実施形態を示す側面図である。
【図４】本発明のヘアカット方法の一実施例のブロックの分割を示す背面図である。
【図５】図４のブロックの分割を用いたヘアカット方法の一実施例を示す側面図である。
【図６】従来のヘアカット方法を示す側面図である。
【発明を実施するための形態】
【００１２】
以下、本発明に係るヘアカット方法の一実施形態について添付図面を参照して説明する。
【００１３】
まず、図１に示すように、頭髪を、頭の前頭部を覆うバングセクション１０１と、側頭部を覆うサイドセクション１０２と、後頭部を覆うバックセクション１０３とに分ける。そして、それらの各セクション１０１〜１０３において、頭髪を、頭の一番出っ張っている部分であるハチの下の第１の水平ライン２１と、後頭部の最もくぼんだ部分である盆の窪の上の第２の水平ライン２２とで分けて、第１の水平ライン２１よりも上側のブロック１０１ａ，１０２ａ，１０３ａ、第１の水平ライン２１と第２の水平ライン２２との間のブロック１０２ｂ，１０３ｂ、及び、第２の水平ライン２２よりも下側のブロック１０３ｃにそれぞれ分ける。さらに、各セクション１０１〜１０３において、第１の水平ライン２１よりも上側の各ブロック１０１ａ，１０２ａ，１０３ａについて、上下２つのブロック１０１ａａ、１０１ａｂ、１０２ａａ，１０２ａｂ，１０３ａａ，１０３ａｂにそれぞれ分ける。すなわち、図１に示すように、バングセクション１０１では、２つのブロック１０１ａａ，１０１ａｂに分け、サイドセクション１０２では３つのブロック１０２ａａ，１０２ａｂ，１０２ｂに分け、バックセクション１０３では、４つのブロック１０３ａａ，１０３ａｂ，１０３ｂ，１０３ｃに分ける。そして、セクション１０１〜１０３毎に、下側のブロックから上側のブロックへ順に頭髪をカットする。このように、頭髪を各ブロック１０１ａ，１０２ａ，１０２ｂ，１０３ａ，１０３ｂ，１０３ｃに分けるのに、第１及び第２の水平ライン２１，２２を使用することで、頭の一番出っ張っている部分及び最もくぼんでいる部分がブロックの境界となるため、デザインが作りやすくなる。
【００１４】
以下では、バックセクション１０３を例にとって説明する。なお、本明細書中では、バックセクション１０３の一番下側、すなわち、第２の水平ライン２２よりも下側のブロック１０３ｃをネープという。また、第２の水平ライン２２と第１の水平ライン２１との間のブロック１０３ｂをミドルという。また、第１の水平ライン２１よりも上側のブロックをトップ１０３ａといい、さらに、トップ１０３ａの下側のブロック１０３ａｂを下側トップ、トップ１０３ａの上側のブロック１０３ａａを上側トップという。
【００１５】
なお、バングセクション１０１及びサイドセクション１０２においても、以下で説明するのと同様の切り方で頭髪をカットすることができる。すなわち、本実施形態では、バングセクション１０１を、２つのブロック１０１ａａ，１０１ａｂに、サイドセクション１０２を、３つのブロック１０２ａａ，１０２ａｂ，１０２ｂに、それぞれ分けている。そのため、各セクション１０１，１０２の一番上のブロック１０１ａａ，１０２ａａは、バックセクション１０３の一番上のブロックである上側トップ１０３ａａに相当する切り方で頭髪をカットする。また、各セクション１０１，１０２の一番下のブロック１０１ａｂ，１０２ｂは、バックセクション１０３の一番下のブロックであるネープ１０３ｃに相当する切り方で頭髪をカットする。また、サイドセクション１０２の真ん中のブロック１０１ａｂは、バックセクション１０３の下側トップ１０３ａｂ又はミドル１０３ｂに相当する切り方で頭髪をカットする。
【００１６】
まず、一番下のブロックであるネープ１０３ｃの頭髪についてのカット方法を説明する。ネープ１０３ｃの頭髪の中から、図２に示すように、一度にカット可能な量に取り分けた毛束（パネル）３を取り出す。パネル３は、ネープ１０３ｃにおいて、上下方向に頭髪の分け目ができるような縦スライスで、すなわち、上下方向に広がる頭髪が一束となるように頭髪を取り出す。このパネル３を、図１に示すように、パネル３の上部の頭髪の長さが、パネル３の下部の頭髪の長さよりも短くなるように傾斜（図１では右下がりの傾斜）を付け、かつ、パネル３の上部の頭髪の長さが、直上のブロックであるミドル１０３ｂの下部の頭髪の長さより短くなるようなカットライン１で頭髪をカットする。具体的には、パネル３の上部の頭髪の根本近く、より好ましくは、パネル３の上部の頭髪の根本から約５ｃｍの位置から、パネル３の下部の頭髪の毛先に向けて斜めにスライドさせながら頭髪をカットする。このパネル３の取り出し及びパネル３に対する傾斜を付けた頭髪のカットという一連の作業を、ネープ１０３ｃの左右方向の全域にわたって連続して繰り返し行うことで、ネープ１０３ｃの全ての頭髪について同様のカットを行う。
【００１７】
ネープ１０３ｃの頭髪のカットが終わると次に、ネープ１０３ｃ直上のブロックであるミドル１０３ｂの頭髪をカットする。このミドル１０３ｂでも頭髪の中からネープ１０３ｃと同様の方法でパネル３を取り出し、パネル３の上部の頭髪の長さが、パネル３の下部の頭髪の長さよりも短くなるように傾斜を付けたカットライン１で頭髪をカットする。このとき、パネル３の上部の頭髪の長さは、直下のブロックであるネープ１０３ｃの上部の頭髪の長さと同じか、あるいはネープ１０３ｃの上部の頭髪の長さよりも長くし、かつ、直上のブロックである下側トップ１０３ａｂの下部の頭髪の長さよりも短くする。そして、その位置からパネル３の上部の頭髪のカットを開始し、パネル３の下部の頭髪の毛先に向けて斜めにスライドさせながら頭髪をカットしていく。ここでも、ネープ１０３ｃと同様、パネル３の取り出し及びパネル３に対する傾斜を付けた頭髪のカットという一連の作業を、ミドル１０３ｂの左右方向の全域にわたって連続して繰り返し行うことで、ミドル１０３ｂの全ての頭髪について同様のカットを行う。
【００１８】
次に、ミドル１０３ｂ直上のブロックである下側トップ１０３ａｂの頭髪をカットする。この下側トップ１０３ａｂでも頭髪の中からネープ１０３ｃと同様の方法でパネル３を取り出し、パネル３の上部の頭髪の長さが、パネル３の下部の頭髪の長さよりも短くなるように傾斜を付けたカットライン１で頭髪をカットする。このとき、パネル３の上部の頭髪の長さは、直下のブロックであるミドル１０３ｂの上部の頭髪の長さと同じか、あるいはミドル１０３ｂの上部の頭髪の長さよりも長くし、かつ、直上のブロックである上側トップ１０３ａａの下部の頭髪の長さより短くする。そして、その位置からパネル３の上部の頭髪のカットを開始し、パネル３の下部の頭髪の毛先に向けて斜めにスライドさせながら頭髪をカットしていく。ここでも、ネープ１０３ｃと同様、パネル３の取り出し及びパネル３に対する傾斜を付けた頭髪のカットという一連の作業を、下側トップ１０３ａｂの左右方向の全域にわたって連続して繰り返し行うことで、下側トップ１０３ａｂの全ての頭髪について同様のカットを行う。
【００１９】
最後に、一番上の上側トップ１０３ａａの頭髪をカットする。上側トップ１０３ａａでも頭髪の中からネープ１０３ｃと同様の方法でパネル３を取り出し、パネル３毎に頭髪をカットしていく。上側トップ１０３ａａは、下側トップ１０３ａｂ、ミドル１０３ｂ及びネープ１０３ｃの頭髪を覆い、頭髪のアウトラインとなる部分なので、客の希望に沿ったデザインとなるようなカットライン１で頭髪をカットする。例えば、客がワンレングスでカットを希望するような場合には、頭髪を下ろしたときに毛先が直線となるようなカットライン１で頭髪をカットする。また、レイヤーでカットする場合には、頭髪を下ろしたときに毛先に段差がつくようなカットライン１で頭髪をカットする。このように、客の希望によって上側トップ１０３ａａの頭髪をカットし、これにより、下側トップ１０３ａｂ、ミドル１０３ｂ及びネープ１０３ｃの上部の短い頭髪を覆うので、下側トップ１０３ａｂ、ミドル１０３ｂ及びネープ１０３ｃの上部の頭髪を短くカットしていても目立たなくさせることができる。
【００２０】
以上のように、本実施形態によれば、ネープ１０３ｃとミドル１０３ｂとの境、ミドル１０３ｂと下側トップ１０３ａｂとの境、及び、下側トップ１０３ａｂと上側トップ１０３ａａとの境で、上側のブロックの下部の頭髪の長さより、下側のブロックの上部の頭髪の長さの方が短くなるように頭髪がカットされるので、上側のブロックの下部の頭髪の長さと、下側のブロックの上部の頭髪の長さとをそろえる手間がかからず、頭髪のカットを容易に早く行うことができる。また、ネープ１０３ｃとミドル１０３ｂとの間、ミドル１０３ｂと下側トップ１０３ａｂとの間、及び、下側トップ１０３ａｂと上側トップ１０３ａａとの間に、短い頭髪が挟まることになり、これにより、毛量を減少させることができる。そして、すでに毛量を減少させながら頭髪をカットしているため、カット後に頭髪を削ぐ必要がなくなり、頭髪を傷めることはないし、同じところを二度切ることはないので、カット効率を上げることができる。さらに、短い頭髪を挟むことで、ネープ１０３ｃとミドル１０３ｂとの間、ミドル１０３ｂと下側トップ１０３ａｂとの間、及び、下側トップ１０３ａｂと上側トップ１０３ａａとの間に隙間があくので、頭髪が溜まりにくく、頭髪が伸びてもカットラインが崩れにくくなる。加えて、ネープ１０３ｃとミドル１０３ｂとの間、ミドル１０３ｂと下側トップ１０３ａｂとの間、及び、下側トップ１０３ａｂと上側トップ１０３ａａとの間の短い頭髪は、毛先が頭髪の表面に現れないため、はねにくくなり、頭髪の表面に現れる毛先のみを手入れすればよいため、頭髪の手入れが容易になる。
【００２１】
また、絶壁と言われる平面的な後頭部に対しては、膨らませたい部分に頭髪が重なるように頭髪をカットするだけで、容易に出っ張りを持たせることができる。具体的には、後頭部の中央（ミドル１０３ｂの中央）のボリュームを出したい部分は、図３のカットライン１１のように、上方に膨らました弓形（コンベックス）で頭髪をカットする。一方で、横側（ミドル１０３ｂの左右）はボリュームを押えるため、図３のカットライン１２のように、下方にへこました弓形（コンケーブ）で頭髪をカットする。これにより、後頭部の中央に膨らみを持たせ、絶壁を補正することができる。
【００２２】
さらに、ハチはりと言われる額の角の出っ張りに対しては、ハチ部分（バングセクションの下側のブロック１０１ａｂ）に頭髪が重ならないようにコンケーブで頭髪をカットする。これにより、ハチはりを目立たなくすることができる。
【００２３】
このように、各セクションの各ブロックにおいて、カットライン１の傾斜角度及び頭髪の長さを変えることで、頭髪の長さとボリュームの調整が可能となり、種々のデザインで頭髪をカットすることができる。加えて、頭髪のボリュームダウン及びボリュームアップさせる位置を自由に決めることができるので、頭を凹凸のある形に見せることができる。これにより、頭を小さく、又、首を長く見せることができ、全身のバランスがよくなる。さらに、ハチの下や盆の窪の上という頭髪を各ブロックに分ける位置、各ブロックにおける傾斜を付した頭髪のカットライン等が明確に理解しやすく、かつ、カット後にヘアスタイルを見ながら感性に基づいて毛量を調整する必要がないため、カット方法を指導する側にとっては教えやすく、かつ、カット方法を覚える側にとっては学びやすくなる。
【００２４】
以上、本発明の一実施形態について説明したが、本発明はこの実施形態に限定されるものではなく、その趣旨を逸脱しない限りにおいて、種々の変更が可能である。例えば、上記実施形態では、各セクション１０１〜１０３を、バングセクション１０１では２つのブロック１０１ａａ，１０１ａｂに、サイドセクション１０２では３つのブロック１０２ａａ，１０２ａｂ，１０２ｂに、バックセクション１０３では４つのブロック１０３ａａ，１０３ａｂ，１０３ｂ，１０３ｃに分けたが、ブロックは必ずしもこの個数に分ける必要はなく、客の頭の形状又はヘアスタイルに応じて分割数を変更することができる。例えば、頭髪を非常に短くカットするベリーショートといわれるヘアスタイルでは、第１の水平ライン２１よりも上側のブロックを３つのブロックに分割し、第１の水平ライン２１と第２の水平ライン２２との間のブロック、及び、第２の水平ライン２２よりも下側のブロックを２つのブロックに分割する。このようにブロックを分割することで、頭髪を非常に短くカットしても、各ブロックの間隔が狭いため、各ブロックの間に挟まるより短い頭髪が表面に現れないようにすることができる。また、額がせまい又はハチはりというような頭の形状に対しては、第１の水平ライン２１よりも上側のブロックを３つのブロックに分割する。これにより、額がせまく前髪が短い場合であっても、上記と同様に各ブロック間に挟まるより短い頭髪が表面に現れないようにすることができるし、細かく分けたブロック毎に頭髪のカット方法を変えることができるので、ハチはりを目立たなくすることが容易にできる。このように各セクションのブロックの数を変化させたときでも、各セクションにおける一番上のブロックは、上記実施形態で説明した上側トップ１０３ａａに相当する切り方で頭髪をカットし、一番下のブロックは、上記実施形態で説明したネープ１０３ｃに相当する切り方で頭髪をカットする。また、各セクションにおいて、一番上のブロックと一番下のブロックとの間に挟まれるブロックは、上記実施形態で説明した下側トップ１０３ａｂ及びミドル１０３ｂに相当する切り方で頭髪をカットする。
【００２５】
また、本発明では、各ブロックで、頭髪を上側から下側に向かって傾斜させてカットしているが、この傾斜は、図１に示すように、直線状のカットライン１としてもよいし、図３に示すように、コンベックス又はコンケーブのカットライン１１，１２としてもよい。例えば、頭髪にボリュームを出したい場合には、頭髪のカット量を減らすために、コンベックスに頭髪をカットするし、逆に、頭髪を軽く見せ、タイトに引き締めたい場合には、頭髪のカット量を増やすために、コンケーブに頭髪をカットする。さらには、パネル３の上側から下側に向けて、コンケーブとコンベックスとを組み合わせたカットラインで頭髪をカットすることも可能である。
【００２６】
また、図１及び図３は、ヘアスタイルがセミロングの場合を示しているが、ロング、ショート等のヘアスタイルでも同様の切り方で頭髪をカットすることができる。
【実施例】
【００２７】
以下に、上記実施形態に示すヘアカット方法を用い、特に、絶壁を補正し、頭が流線型に見えるヘアカット方法の一実施例について説明する。【００２８】
バングセクション１０１及びサイドセクション１０２は、上記実施形態の通りにそれぞれ２つ及び３つのブロックに分ける（図１参照）。そして、バックセクション１０３の頭髪を、図４に示すように、第１及び第２の水平ライン２１，２２を基準に、頭の上側から下側にかけて３つのブロック、すなわち、トップ１０３ａ、ミドル１０３ｂ、及び、ネープ１０３ｃに分ける。そして、トップ１０３ａを、さらに上下２つのブロック、すなわち、上側トップ１０３ａａと、下側トップ１０３ａｂとに分ける。また、ミドル１０３ｂを左右方向に３つのブロック１０３ｂｌ，１０３ｂｍ，１０３ｂｒに分ける。具体的には、ミドル１０３ｂを左右方向にほぼ４等分し、その内の真ん中２つを１つのブロック（以下、「中央ミドル１０３ｂｍ」という。）とするとともに、中央ミドル１０３ｂｍの左側のブロックを左側ミドル１０３ｂｌ、右側のブロックを右側ミドル１０３ｂｒとする。【００２９】
このようにブロック分けした頭髪を、図５に示すカットラインでカットしていく。頭髪をカットする手順は、上記実施形態に示したように、各ブロックにおいて、当該ブロックの頭髪から縦スライスでパネル３を取り出し、以下に示すカットラインで頭髪をカットするという一連の作業を、当該ブロック全域にわたって連続して繰り返すことで行う。【００３０】
まず、ネープ１０３ｃ及びサイドセクション１０２の第１の水平ライン２１よりも下側のブロック１０２ｂでは、パネル３の上部から下部に向かい、上半分がコンケーブで、下半分がコンベックスとなるようなカットライン１３で、頭髪をカットする。具体的には、上部から中央付近にかけて頭髪の長さが非常に短くなるような凹曲線状の傾斜で頭髪をカットする一方、中央付近では頭髪を長く残すようにカットし、中央付近から下部にかけては緩やかな凸曲線状の傾斜で頭髪をカットする。【００３１】
次に、左側ミドル１０３ｂｌ及び右側ミドル１０３ｂｒでは、パネル３の上部から中央付近にかけて頭髪の長さが非常に短くなるような凹曲線状の傾斜で頭髪をカットする一方、中央付近から下部に向かっては頭髪を長く残すようにカットするコンケーブのカットライン１２で頭髪をカットする。【００３２】
上記のように、ネープ１０３ｃ、サイドセクション１０２の第１の水平ライン２１よりも下側のブロック１０２ｂ、左側ミドル１０３ｂｌ、及び、右側ミドル１０３ｂｒでは、各ブロック１０３ｃ，１０２ｂ，１０３ｂｌ，１０３ｂｒの上部の頭髪の長さが非常に短くなるように頭髪をカットするため、頭のサイド、耳の後及び盆の窪の下部分の頭の形をタイトに引き締まった形に見せることができる。一方で、ネープ１０３ｃ、及び、サイドセクション１０２の第１の水平ライン２１よりも下側のブロック１０２ｂで、各ブロック１０３ｃ，１０２ｂの下部をコンベックスのカットラインで頭髪をカットすることで、毛先にボリュームを持たせることができる。【００３３】
次に、中央ミドル１０３ｂｍでは、直線状（イーブン）又はコンベックスのカットライン１で頭髪をカットする（図５はイーブンのカットライン）。このとき、左側ミドル１０３ｂｌ及び右側ミドル１０３ｂｒの上部の頭髪の長さより、中央ミドル１０３ｂｍの上部の頭髪の長さが長くなるように頭髪をカットする。これにより、後頭部の中央に頭髪が多く残ることになり、後頭部の中央に膨らみを持たせることができる。また、より後頭部の中央に膨らみを持たせたい場合は、中央ミドル１０３ｂｍの頭髪を、コンベックスのカットラインでカットするのが好ましい。【００３４】
最後に、頭髪のアウトラインとなる上側トップ１０３ａａは、毛先だけを緩やかな傾斜のコンベックスのカットライン１１で頭髪をカットする。これにより、頭髪のアウトラインとなる部分で毛先が内巻きになるので、頭髪がまとまりやすくなる。なお、その他のブロックは、客が希望するデザインに沿うように、イーブン、コンベックス、又は、コンケーブのカットラインを適宜組み合わせて頭髪をカットする。【００３５】
上記した頭髪のカット方法では、絶壁といわれる平面的な後頭部の中央（中央ミドル１０３ｂｍ）に出っ張りを持たすことができるのに対し、後頭部の中央の周囲、すなわち、頭のサイド、耳の後及び盆の窪の下部分がタイトに引き締まるので、後頭部の中央の出っ張りを引き立てさせることができ、平面的な頭の形を立体的な頭の形に見せることができる。【００３６】
以上、本発明の一実施例について説明したが、本発明は、上記実施例にのみ限定されるものではない。上記実施例に示すように、コンベックス、コンケーブ及びイーブンのカットラインを自由に組み合わせることで種々のヘアスタイルとすることができる。
【符号の説明】
【００３７】
３          パネル（毛束）
２１        ハチの下の水平ライン（第１の水平ライン）
２２        盆の窪の上の水平ライン（第２の水平ライン）
１０１      バングセクション
１０１ａａ，１０１ａｂ  ブロック
１０２      サイドセクション
１０２ａ，１０２ｂ  ブロック
１０２ａａ，１０２ａｂ  ブロック
１０３      バックセクション
１０３ａ，１０３ｂ，１０３ｃ  ブロック
１０３ａａ，１０３ａｂ  ブロック
１０３ｂｌ  左側ブロック
１０３ｂｍ  中央ブロック
１０３ｂｒ  右側ブロック
【図１】
2012108010.tif 000003
【図２】
2012108010.tif 000004
【図３】
2012108010.tif 000005
【図４】
2012108010.tif 000006
【図５】
2012108010.tif 000007
【図６】
2012108010.tif 000008
【国際調査報告】
2012108010.tif 000009
2012108010.tif 000010